(57)【要約】【課題】  明るく小型な液晶プロジェクター用ズームレンズの提供。【解決手段】  拡大側から順に負正正負正正の順に構成し、ズーミングで１，６群固定。  ２，３，４，５群は拡大側に移動する。      Ｚ２／Ｚ ＞ １．２  第２レンズ群は負正正の３枚で構成する。【選択図】  図１
2005084351.tif 000002
【特許請求の範囲】
【請求項１】
表示面の画像を、スクリーンに拡大投写する略テレセントリックなズームレンズにおいて、スクリーン側（拡大側）から順に、
負の屈折力の第１レンズ群、
正の屈折力の第２レンズ群、
正の屈折力の第３レンズ群、
負の屈折力の第４レンズ群、
正の屈折力の第５レンズ群、
正の屈折力の第６レンズ群を有し、
広角端の焦点距離から望遠端の焦点距離に変移する時に、前記第１レンズ群と第６レンズ群は固定で、第２レンズ群、第３レンズ群、第４レンズ群、第５レンズ群はスクリーン側（拡大側）に移動し、
第ｉレンズ群の倍率βｉの変化βｉｔ／βｉｗをＺｉ、全系の変倍比をＺ（＝ｆｔ／ｆｗ）とするとき、下記の式を満足することを特徴とするテレセントリックなズームレンズ。
Ｚ２／Ｚ ＞ １．２
【請求項２】
前記第２レンズ群はスクリーン側（拡大側）から順に負レンズ、正レンズ、正レンズの順に３枚で構成されていることを特徴とする特許請求の範囲第１項記載のテレセントリックなズームレンズ。
【請求項３】
広角端の焦点距離をｆｗ、第ｉレンズ群の焦点距離をｆｉとする時、下記の式を満たすことを特徴とする特許請求の範囲第１もしくは２項記載のテレセントリックなズームレンズ。
１．２５ ＜ ｆ２／ｆｗ ＜ １．８
【請求項４】
広角端から望遠端に変移する際、第ｉレンズ群の移動量をＭｉ（縮小側への移動を＋とする）とするとき、下記の式を満たすことを特徴とする特許請求の範囲第１もしくは２項記載のテレセントリックなズームレンズ。
０．９ ＜ Ｍ２／Ｍ４ ＜ １．６
【発明の詳細な説明】
【技術分野】
【０００１】
本発明は、画像を固定された有限距離にて、スクリーンに拡大投写するプロジェクション装置に用いられるズームレンズに関し、特に表示体に色光ごとに複数の液晶等を用い、色合成して１本の投写レンズを介して、高精細な画像投写を行う簡易な小型なテレセントリックズームレンズに関するものである。
【背景技術】
【０００２】
負の屈折力のレンズ群が先行するネガティブリード型のズームレンズは比較的広画角化が容易で、かつ近接撮影距離での性能が維持できる等の特長を有しているが、反面、変倍の為の移動量が増大し、又高変倍化が難しい等の欠点を有している。
【０００３】
これらの欠点を改善し、レンズ系全体の小型化及び高変倍化を図ったズームレンズが例えば特公昭４９−２３９１２号公報、特開昭５３−３４５３９号公報、特開昭５７−１６３２１３号公報、特開昭５８−４１１３号公報、特開昭６３−２４１５１１号公報、そして特開平２−２０１３１０号公報等で提案されている。
【０００４】
これらの各公報ではズームレンズ物体側より順に負、正、負、そして正の屈折力のレンズ群の全体として４つのレンズ群より構成し、このうち所定のレンズ群を適切に移動させて変倍を行っている。
【０００５】
多くの群を有するものとして特開昭５４−１７０１９号公報がある。この発明は所謂オプティカルコンペンセーションをしているもので特に第２レンズ群、第４レンズ群を同じ動きにしているものである。このオプコン構成をすると制約が厳しく変倍比の割に大型化しやすい。またこの構成では射出瞳が短くプロジェクションレンズには適当ではなかった。
【０００６】
また近年になってスクリーンに拡大投写するプロジェクション装置に用いられるズームレンズ用として多群化構成の提案も多くされるようになってきた。例えば特開平１１−９５０９８号公報等では負正負正の４群構成でのズームレンズが提案されている。しかしながらこれらの提案はレンズとして暗い仕様のものが多く、明るい投写像を作るのに充分ではなかった。
【０００７】
また特開平１０−１８６２３５号公報等では負正正負正の５群構成のズームレンズが提案されている。この提案もレンズとして暗い仕様のものが多く、明るい投写像を作るのに充分ではなかった。
【０００８】
また本出願人は特開平１１−１９０８２１号公報にて負正負正正の５群構成の投写型ズームレンズを提案し、更に明るく、コンパクトなレンズを提案している。
【発明の開示】
【発明が解決しようとする課題】
【０００９】
本発明の如き、表示画像をスクリーンに拡大投写する際、特に液晶表示体を複数の色に分けて用い、各色光を合成して１本の投写レンズにて投写する場合、以下の条件を満足することが必要となる。
【００１０】
１）液晶の配光特性、または複数の色光を合成する時の色合成ダイクロイックミラーの角度依存の影響を排除する為に、パネル側の瞳（射出瞳）が遠方にある所謂テレセントリック光学系であること。
【００１１】
２）表示体と投射レンズの間に介在する色合成素子のスペースを確保する為に、長いバックフォーカスを必要とする。
【００１２】
３）通常、表示画像をスクリーン上に上方投写する為に、投写レンズ光軸に対し、表示体はその中心位置がシフトした状態で用いられ、結果として前玉付近は使用する有効領域が光軸対称ではなく、上方に偏り、前玉径が大きくなるので改善手段が必要である。また、画角も大きくなりがちとなる。
【００１３】
上記、要求事項に対し、前記従来例では、射出瞳位置（縮小側の瞳位置）は有限であり、またバックフォーカスも十分に長いとは言い難い。また構成群の数が少ないために変倍のための可動群が制限され所望の倍率を得るために各群の移動量が大きくなったり、敏感度が高くなり、微少の製作誤差・がたつきがあっただけで投写像が著しく劣化することが多かった。
【００１４】
また近年の提案においても、スクリーンに明るく投写するのに、充分な明るさを備えたレンズではないものが多かった。
【００１５】
本発明は、本出願人による特開平１１−１９０８２１号公報に改良を加えたもので、構成群数が多く、各群の敏感度を低減化し、明るく、小型化を図り、更に歪曲の小さく倍率色収差の少ないプロジェクター用の投写レンズを提供することを目的とする。
【課題を解決するための手段】
【００１６】
上記目的の達成の為に、本発明では、以下の構成を特徴とする。
【００１７】
表示面の画像を、スクリーンに拡大投写する略テレセントリックなズームレンズにおいて、スクリーン側（拡大側）から順に、
負の屈折力の第１レンズ群、
正の屈折力の第２レンズ群、
正の屈折力の第３レンズ群、
負の屈折力の第４レンズ群、
正の屈折力の第５レンズ群、
正の屈折力の第６レンズ群を有し、
広角端の焦点距離から望遠端の焦点距離に変移する時に、前記第１レンズ群と第６レンズ群は固定で、第２レンズ群、第３レンズ群、第４レンズ群、第５レンズ群はスクリーン側（拡大側）に移動し、
第ｉレンズ群の倍率βｉの変化βｉｔ／βｉｗをＺｉ、全系の変倍比をＺ（＝ｆｔ／ｆｗ）とするとき、下記の式を満足することである。
【００１８】
Ｚ２／Ｚ ＞ １．２                              （１）
この式は、ズームレンズとしての変倍の中で第２レンズ群の分担割合を規定したものである。特に最も変倍分担の割合の大きい第２レンズ群の分担を適切にして、所望の変倍比を得るために全系が大型化することなく、小型のズームレンズを達成するのに必要な条件である。この範囲を逸脱すると所望の変倍比を得るために、変倍に寄与の小さいレンズ群のズーミングでの移動量が多くなり、大型化し適当でない。
【００１９】
またこの変倍分担の大きい前記第２レンズ群はスクリーン側（拡大側）から順に負レンズＬ２１、正レンズＬ２２、正レンズＬ２３の順に３枚で構成されていることが必要である。それは第２レンズ群を上記構成とすることで、第２レンズ群の主点を縮小側に置くことができ、第１レンズ群と第２レンズ群の間隔が、広角端において実際の間隔より、主点間隔が広くとりやすいので、広角にしやすく、また変倍に有利に機能する。
【００２０】
第２レンズ群の主点位置を縮小側（パネル側）にするために、上記Ｌ２１は縮小側（パネル側）に強い凹面を向け、その拡大側の面より強い負の屈折力を有するのが好ましい。具体的にはＬ２１が縮小側に強い凹面を持つ両凹レンズ、あるいは負メニスカスレンズであることが好ましい。
【００２１】
特に上記Ｌ２２は、パネル側（縮小側）のほうが強い凸面を有する両凸レンズであることが好ましい。
【００２２】
また特に、広角端の焦点距離をｆｗ、第ｉレンズ群の焦点距離をｆｉとする時、下記の式を満たすことが好ましい。
【００２３】
１．２５ ＜ ｆ２／ｆｗ ＜ １．８              （２）
この式は主変倍群である第２レンズ群の焦点距離を適切に設定するものである。この上限を逸脱すると、第２レンズ群のパワーが弱くなり所望の変倍比を確保するための移動量が大きくなり、全系の大型化をもたらし適当ではない。また下限値を逸脱すると第２レンズ群のパワーが強くなりペッツバール和が大きくなり、像面が補正不足になりまたズーミングでの像面の変動も大きくなり適当でない。
【００２４】
このとき広角端の第１レンズ群と第２レンズ群の間隔をＤ１ｗとするとき
０．２ ＜Ｄ１ｗ／ｆｗ ＜ ０．６                （２）′
を満たしているのが広角化、高変倍化のための移動間隔を確保しやすく、また第２レンズ群の形状を上述したようにＬ２１，Ｌ２２，Ｌ２３で構成するのに適当である。
【００２５】
また広角端から望遠端に変移する際、第ｉレンズ群の移動量をＭｉ（縮小側への移動を＋とする）とするとき、下記の式を満たすことが好ましい。
【００２６】
０．９ ＜ Ｍ２／Ｍ４ ＜ １．６                （３）
この式は全系の増倍に寄与する第２レンズ群と第４レンズ群の移動量を適切にして、レンズの大きさを良好に、所望の変倍比を得るのに必要なものである。この式の上限、下限どちらに逸脱しても第２レンズ群と第４レンズ群の変倍分担と移動量が適切でなくなり、全系の大型化につながり適当ではない。
【００２７】
特に、変倍に際し、第２レンズ群と共に増倍に寄与する第４レンズ群は下記式に従った変倍分担をしているのが好ましい。
【００２８】
０．８２ ＜ Ｚ４／Ｚ ＜ １．０                （４）
この式により第２レンズ群との増倍分担を適切に行なっている。
【００２９】
広角端から望遠端への変移に際して第２レンズ群、第３レンズ群、第４レンズ群、第５レンズ群はスクリーン側（拡大側）に移動するが、第１レンズ群と第２レンズ群は近づき、第２レンズ群と第３レンズ群も近づき、第３レンズ群と第４レンズ群は離れるように構成するのが、各群の変倍の寄与を適切にするのに好ましい。
【００３０】
また（２）式に関連して主変倍群第２レンズ群は下記の範囲にあるのが好ましい。これは第２レンズ群のパワーを所望の変倍域から適切に設定を行なったものである。広角端の焦点距離をｆｗ、望遠端の焦点距離をｆｔとするとき
１．１ ＜ ｆ２／√（ｆｗ×ｆｔ） ＜ １．５        （５）
この式も主変倍群である第２レンズ群の焦点距離を適切に設定するものである。（２）式と同様この上限を逸脱すると、第２レンズ群のパワーが弱くなり所望の変倍比を確保するための移動量が大きくなり、全系の大型化をもたらし適当ではない。また下限値を逸脱すると第２レンズ群のパワーが強くなりペッツバール和が大きくなり、像面が補正不足になりまたズーミングでの像面の変動も大きくなり適当でない。
【００３１】
第６レンズ群は、表示体に最も近く、比較的強い正の屈折力を与えることにより、テレセントリックな系を実現している。
【００３２】
前記第２レンズ群、前記第３レンズ群、前記第４レンズ群、前記第５レンズ群を移動して変倍することで、各群の移動量を減らしつつ、各群の位置ずれ、倒れ等による性能敏感度を低く分散して、高変倍率なズームレンズを達成することができ、全長を短縮すると共に、入射瞳位置から前玉までの距離を短くし、軸外斜光束で決まる前玉径の小型化を可能とした。
【００３３】
前記第１レンズ群は、負の屈折力を有し、色合成素子のスペースのために、長いバックフォーカスを確保している。特にバックフォーカスを長くするために、第１レンズ群中にスクリーン側（拡大側）に凸面を有する負メニスカスレンズを配置するのが良い。さらに各群の屈折力を適切に配置し、前記第１レンズ群をズーミング中、固定とすることで、上記軸外斜光束の位置の変動をへらし、構成の簡易化と共に全長一定なレンズ系が達成できる。また広角端での歪曲の低減のために第１レンズ群の最も物体側には凸レンズを配置して最も軸外光束を通る位置での歪曲補正を行っている。
【００３４】
広角端の焦点距離から望遠端の焦点距離に変移する時に、第２レンズ群、第３レンズ群、第４レンズ群、第５レンズ群はスクリーン側（拡大側）に移動するが、前述のとおり
前記第１レンズ群と前記第２レンズ群の間隔は減少し、
前記第２レンズ群と前記第３レンズ群の間隔は減少し、
前記第３レンズ群と前記第４レンズ群の間隔は増大するとともに更に
前記第５レンズ群と前記第６レンズ群の間隔は増大することが各群の変倍分担を適当に分散させ、所望の変倍比を得るのに好ましい。
【００３５】
特に下記の式を満足するのが好ましい。
【００３６】
０．８ ＜ ｜ｆ１／ｆ２｜ ＜ １．１                  （６）
１．０ ＜ ｜ｆ４｜／√（ｆｗ×ｆｔ） ＜ ２．０      （７）
上の（６）式は前玉径と歪曲に絡む第１レンズ群と第２レンズ群の関係を適切に規定したものである。
【００３７】
（６）式の下限を逸脱すると第１レンズ群で決まる前玉径が大きくなり、また広角端での歪曲収差が大きくなり適当でない。また上限値を逸脱すると所望の画角（特に広角側）が難しくなり全系が大型化し適当でない。
【００３８】
式（７）は変倍群の第４レンズ群のパワーを適切にするもので下限を超えると像面が補正過剰となり適当でない。また上限を超えると所望の変倍比を得るために第２レンズ群の移動量を大きくする必要があり全系が大型化し適当でない。
【００３９】
特に変倍に寄与する群は下記のような条件を満たすのが好ましい。
【００４０】
０．６５ ＜ ｜ｆ２／ｆ４｜ ＜ １．２                （８）
この式（８）は変倍に寄与するレンズ群の屈折力配置を適切にするものである。
【００４１】
上限値を逸脱すると主変倍群の第４レンズ群の屈折力が強くなり像面湾曲が大きくなりがちとなる。また下限値を逸脱すると主変倍群の第４レンズ群の屈折力が弱くなり所望の変倍比を得にくくなる。
【００４２】
特に歪曲を適正に補正するためには以下の式を満たしていることが好ましい。
【００４３】
１．０ ＜ ｜ｆ１｜／ｆｗ ＜ １．８                  （９）
この式の上限を逸脱すると適切なバックフォーカスが確保できず、また下限値を超えると広角端の歪曲が負の値で大きくなり適当ではない。
【００４４】
広角端での第１レンズ群の最もスクリーン側（拡大側）の面と縮小側表示体（パネル）との間隔（最も表示体側にクロスダイクロ等色合成系があるときはそれを含めない空気換算間隔）をＤとするとき、下記の式を満たしているのが好ましい。
【００４５】
０．２５ ＜ ｆｔ／Ｄ ＜ ０．４                    （１０）
この式の上限を超えると大型化し、また下限を超えると歪曲が大きくなり適当でない。
【００４６】
またレンズの射出側（縮小側）を略テレセントリックに設定するのは上述したように液晶の配光特性、または複数の色光を合成する時の色合成ダイクロイックミラーの角度依存の影響を排除する為である。具体的にはその角度依存性を排するためには以下の条件を満たしていれば好ましい。
【００４７】
｜ｔｋ｜／ｆｗ ＞ ３．５                    （１１）
ここでｔｋというのは広角端での表示パネルから（縮小側共役位置から）射出瞳までの距離である。（ここで言う射出瞳とは縮小側の瞳のことである）
特に最適にテレセントリック系にしつつ、レンズからパネルまでの距離を最適にするために以下の条件を満たすのが好ましい。
【００４８】
１．７ ＜ ｆ６／ｆｗ ＜ ２．０              （１２）
下限を超えると最適なテレセントリック性を満足できず、上限を超えると大型化して適当でない。
【００４９】
更に各群のパワー配置を適切にしつつ各群の移動量を適切にして、小型化をするには以下の式を満たすのが好ましい。
【００５０】
１．０ ＜ ｜ｆ１｜／√（ｆｗ×ｆｔ） ＜ １．４      （１３）
１．１ ＜ ｆ３／√（ｆｗ×ｆｔ） ＜ ３．０          （１４）
５．０ ＜ ｆ５／√（ｆｗ×ｆｔ） ＜ １１．０        （１５）
１．５ ＜ ｆ６／√（ｆｗ×ｆｔ） ＜ ２．０          （１６）
特に全系に渡り倍率色収差を低減させるのに第５レンズ群の凸レンズにアッベ数７０以上の硝材を用いるのが好ましい。
【００５１】
具体的には第５レンズ群内の凹レンズと貼り合わせてある両凸レンズが好ましい。
【００５２】
この際、これと貼り合わせてある凹レンズ（両凹レンズ）のアッベ数は３５以下が好ましい。
【００５３】
また特に第１レンズ群の凹レンズにアッベ数７０以上の硝材を用いるのが色収差低減化に有効である。具体的には第１レンズ群内で縮小側に強い凹面を向けている負メニスカスレンズが好ましい。
【００５４】
ここで示したアッベ数７０以上の硝材は第１レンズ群、第５レンズ群のどちらか、あるいは両方に用いてもよい。
【００５５】
どちらか片方に用いる場合は第５レンズ群のほうが有効である。
【発明の効果】
【００５６】
以上説明したように構成することにより、構成群数が多く、各群の敏感度を低減化し、明るく、小型化を図り、更に歪曲の小さい拡大投写プロジェクション装置に用いられる高精細な画像投影を行う簡易な小型なテレセントリックズームレンズを達成することができた。
【発明を実施するための最良の形態】
【００５７】
以下、図面を用いて具体的な実施例について述べる。
【００５８】
この際、実施例１〜９の大まかなレンズ構成を図１〜９に、また、実施例１〜９の収差図を図１０〜１８に、実施例１〜９のレンズの各面の曲率、面間隔、屈折率、分散等のデータを表１〜９に、さらに、前述の各条件式に対応する数値の計算結果を表１０に示す。
【００５９】
第１実施例は、第２レンズ群が、縮小側（パネル側）に強い凹面を向けた負メニスカスレンズＬ２１、縮小側（パネル側）のほうが強い凸面を有する両凸レンズＬ２２、縮小側（パネル側）凹面を向けた正メニスカスレンズＬ２３で構成されている例である。第１レンズ群にアッベ数７０以上の負レンズと、第５レンズ群にアッベ数８０以上の正レンズを有している。
【００６０】
第２実施例は、第２レンズ群が、縮小側（パネル側）に強い凹面を向けた両凹レンズＬ２１、縮小側（パネル側）のほうが強い凸面を有する両凸レンズＬ２２、縮小側（パネル側）凹面を向けた正メニスカスレンズＬ２３で構成されている例である。第１レンズ群にアッベ数７０以上の負レンズと、第５レンズ群にアッベ数８０以上の正レンズを有している。
【００６１】
第３実施例は、第２実施例と同じく、第２レンズ群が、縮小側（パネル側）に強い凹面を向けた両凹レンズＬ２１、縮小側（パネル側）のほうが強い凸面を有する両凸レンズＬ２２、縮小側（パネル側）凹面を向けた正メニスカスレンズＬ２３で構成されている例である。バックフォーカスが長く、大型のプリズムが縮小側（パネル側）に配置してある。第１レンズ群にアッベ数７０以上の負レンズと、第５レンズ群にアッベ数７０以上の正レンズを有している。
【００６２】
第４実施例は、第２レンズ群が、縮小側（パネル側）に強い凹面を向けた両凹レンズＬ２１、縮小側（パネル側）のほうが強い凸面を有する両凸レンズＬ２２、拡大側（スクリーン側）に強い凸面を有する両凸レンズＬ２３で構成されている例である。第３レンズ群は分散の小さい正レンズと、分散の大きい負レンズとの貼り合わせで、第１レンズ群にアッベ数６０以上の負レンズと、第５レンズ群にアッベ数７０以上の正レンズを有している。
【００６３】
第５実施例は、第４実施例と同じく第２レンズ群が、縮小側（パネル側）に強い凹面を向けた両凹レンズＬ２１、縮小側（パネル側）のほうが強い凸面を有する両凸レンズＬ２２、拡大側（スクリーン側）に強い凸面を有する両凸レンズＬ２３で構成されている例である。第３レンズ群は分散の小さい正レンズと、分散の大きい負レンズとの貼り合わせで、第１レンズ群にアッベ数７０以上の負レンズと、第５レンズ群にアッベ数７０以上の正レンズを有している。第５実施例では広角端から望遠端への変移に際して、第４レンズ群と第５レンズ群の間隔が広がっていくものである。
【００６４】
第６、７、８実施例は、第４実施例と同じく第２レンズ群が、縮小側（パネル側）に強い凹面を向けた両凹レンズＬ２１、縮小側（パネル側）のほうが強い凸面を有する両凸レンズＬ２２、拡大側（スクリーン側）に強い凸面を有する両凸レンズＬ２３で構成されている例である。第３レンズ群は分散の小さい正レンズと、分散の大きい負レンズとの貼り合わせで、第１レンズ群にアッベ数６０以上の負レンズと、第５レンズ群にアッベ数７０以上の正レンズを有している。
【００６５】
第８実施例では広角端から望遠端への変移に際して、第４レンズ群と第５レンズ群の間隔が広がっていくものである。
【００６６】
第９実施例は、第２レンズ群が、縮小側（パネル側）に強い凹面を向けた両凹レンズＬ２１、縮小側（パネル側）のほうが強い凸面を有する両凸レンズＬ２２、縮小側（パネル側）凹面を向けた正メニスカスレンズＬ２３で構成されている例である。第１レンズ群にアッベ数８０以上の負レンズと、第５レンズ群にアッベ数７０以上の正レンズを有している。
【００６７】
ピント合わせは第１レンズ群で行うのが好ましいが、第１レンズ群と第２レンズ群同時に行う、または第６群で、あるいは複数の群で、特に有限距離で各群別な移動量にて距離合わせをしてもよく、又、全体にて行っても表示パネルを移動して行ってもよい。
【００６８】
【表１】
2005084351.tif 000003
【００６９】
【表２】
2005084351.tif 000004
【００７０】
【表３】
2005084351.tif 000005
【００７１】
【表４】
2005084351.tif 000006
【００７２】
【表５】
2005084351.tif 000007
【００７３】
【表６】
2005084351.tif 000008
【００７４】
【表７】
2005084351.tif 000009
【００７５】
【表８】
2005084351.tif 000010
【００７６】
【表９】
2005084351.tif 000011
【００７７】
【表１０】
2005084351.tif 000012
【図面の簡単な説明】
【００７８】
【図１】実施例１のレンズ構成を示す図
【図２】実施例２のレンズ構成を示す図
【図３】実施例３のレンズ構成を示す図
【図４】実施例４のレンズ構成を示す図
【図５】実施例５のレンズ構成を示す図
【図６】実施例６のレンズ構成を示す図
【図７】実施例７のレンズ構成を示す図
【図８】実施例８のレンズ構成を示す図
【図９】実施例９のレンズ構成を示す図
【図１０】実施例１のレンズ構成における収差図
【図１１】実施例２のレンズ構成における収差図
【図１２】実施例３のレンズ構成における収差図
【図１３】実施例４のレンズ構成における収差図
【図１４】実施例５のレンズ構成における収差図
【図１５】実施例６のレンズ構成における収差図
【図１６】実施例７のレンズ構成における収差図
【図１７】実施例８のレンズ構成における収差図
【図１８】実施例９のレンズ構成における収差図
【図１】
2005084351.tif 000013
【図２】
2005084351.tif 000014
【図３】
2005084351.tif 000015
【図４】
2005084351.tif 000016
【図５】
2005084351.tif 000017
【図６】
2005084351.tif 000018
【図７】
2005084351.tif 000019
【図８】
2005084351.tif 000020
【図９】
2005084351.tif 000021
【図１０】
2005084351.tif 000022
【図１１】
2005084351.tif 000023
【図１２】
2005084351.tif 000024
【図１３】
2005084351.tif 000025
【図１４】
2005084351.tif 000026
【図１５】
2005084351.tif 000027
【図１６】
2005084351.tif 000028
【図１７】
2005084351.tif 000029
【図１８】
2005084351.tif 000030